(57)【要約】制御装置（５８）を有するハウジング（５０）を備えるヘアクリッパ（１０）であって、制御装置（５８）はハウジング内に配設されたモータ（５４）をエネルギ源に接続するヘアクリッパ。ヘアクリッパはまた、１つ以上の刃先（２２−１，２２−２）を備える回転刃アセンブリ（２０）と、回転刃アセンブリ（２０）に連動連結された交換機構（６０）を有する。ヘアクリッパは、ユーザに便利ないくつかの異なるヘアカットオプションを与えるように回転刃アセンブリを効果的及び効率的に調整する。【選択図】図１
2004531294.tif 000002
【特許請求の範囲】
【請求項１】
ハウジングと、
前記ハウジングに取り外し可能に連結された回転刃アセンブリであって、２以上の刃先と、単一の切断面を有し、該切断面にほぼ垂直な軸回りに回転可能に設けた回転刃アセンブリと、
前記回転刃アセンブリに連動連結され前記回転刃アセンブリの固定状態を解除して前記回転刃アセンブリを前記軸回りに回転可能にする交換機構とを、
含んでなるヘアクリッパ。
【請求項２】
モータと、前記モータをエネルギ源に接続する制御装置とをさらに含んでなる請求項１のヘアクリッパ。
【請求項３】
前記エネルギ源はバッテリである請求項２のヘアクリッパ。
【請求項４】
前記エネルギ源は電気コンセントである請求項２のヘアクリッパ。
【請求項５】
前記２以上の刃先は刃渡りの大きい刃先を含む請求項１のヘアクリッパ。
【請求項６】
前記２以上の刃先は刃渡りの小さい刃先を含む請求項１のヘアクリッパ。
【請求項７】
前記２以上の刃先は２以上の刃を含む請求項１のヘアクリッパ。
【請求項８】
前記２以上の刃先は固定刃を含む請求項７のヘアクリッパ。
【請求項９】
前記２以上の刃先は往復刃を含む請求項８のヘアクリッパ。
【請求項１０】
前記往復刃と前記固定刃を互いに隣接配設し、かつ、ばねにより互いに付勢させた請求項９のヘアクリッパ。
【請求項１１】
前記交換機構は前記ハウジングに揺動自在に設けたボタンを含む請求項１のヘアクリッパ。
【請求項１２】
前記交換機構は前記ハウジングに設けた押し下げ可能かつ回転可能なサムスイッチを含む請求項１のヘアクリッパ。
【請求項１３】
回転刃アセンブリを備えるヘアクリッパによりヘアを刈る方法であって、
（ａ）ハウジングと、該ハウジング内に配設されたモータをエネルギ源につなぐために前記ハウジングに設けた制御装置と、前記ハウジングに取り外し可能に連結され２以上の刃先と単一切断面を有し該切断面にほぼ垂直な軸回りに回転可能に設けた回転刃アセンブリと、該回転刃アセンブリに連動連結された揺動ボタンと前記回転刃アセンブリのロック状態を解除して前記回転刃アセンブリが前記軸回りに回転できるようにするロック部材を備える交換機構とを含むヘアクリッパを提供し、
（ｂ）前記揺動ボタンが前記ハウジング側へ揺動されるように前記揺動ボタンに力を加え、それにより、前記ロック部材のロックを解除して前記回転刃アセンブリが前記軸回りに自由に回転できるようにし、
（ｃ）前記回転刃アセンブリが前記軸回りに回転して所定位置に到達するまで前記回転刃アセンブリに回転力を与え、
（ｄ）前記回転刃アセンブリが一端前記所定位置に到達したならば前記回転刃アセンブリに加える前記回転力を取り除き、
（ｅ）前記揺動ボタンが前記回転刃アセンブリから遠ざかるように付勢されるように前記揺動ボタンに加える力を取り除き、それにより前記ロック部材をロックして前記回転刃アセンブリが前記軸回りに回転することを防止し、
（ｆ）前記制御装置を作動させて前記ヘアクリッパの前記モータを作動させる、
ことを含んでなる方法。
【請求項１４】
前記エネルギ源はバッテリである請求項１３の方法。
【請求項１５】
前記エネルギ源は電気コンセントである請求項１３の方法。
【請求項１６】
前記回転刃アセンブリは２つ以上の刃先を有する請求項１３の方法。
【請求項１７】
前記２つ以上の刃先は刃渡りの大きい刃先を含む請求項１６の方法。
【請求項１８】
前記２つ以上の刃先は刃渡りの小さい刃先を含む請求項１７の方法。
【請求項１９】
前記２つ以上の刃先は２つ以上の刃を含む請求項１８の方法。
【請求項２０】
前記２つ以上の刃は固定刃を含む請求項１９の方法。
【請求項２１】
前記２つ以上の刃は往復刃を含む請求項２０の方法。
【請求項２２】
前記往復刃と前記固定刃を互いに隣接配設しかつばねにより互いに付勢させた請求項２１の方法。
【請求項２３】
回転刃アセンブリを備えるヘアクリッパによりヘアを刈る方法であって、
（ａ）ハウジングと、該ハウジング内に配設されたモータをエネルギ源につなぐために前記ハウジングに設けた制御装置と、前記ハウジングに取り外し可能に連結され２以上の刃先と単一切断面を有し該切断面にほぼ垂直な軸回りに回転するように設けた回転刃アセンブリと、該回転刃アセンブリに連動連結されたサムスイッチと前記回転刃アセンブリのロック状態を解除して前記回転刃アセンブリが前記軸回りに回転できるようにするロック部材を備える交換機構とを含むヘアクリッパを提供し、
（ｂ）前記サムスイッチが前記ハウジング側へ揺動されるように前記サムスイッチに下向きの力を加え、それにより、前記ロック部材のロックを解除して前記回転刃アセンブリが前記軸回りに自由に回転できるようにし、
（ｃ）前記回転刃アセンブリが前記軸回りに回転して所定位置に到達するまで前記サムスイッチに回転力を与え、
（ｄ）前記回転刃アセンブリが一端前記所定位置に到達したならば前記サムスイッチに加える前記回転力を取り除き、
（ｅ）前記サムスイッチが前記回転刃アセンブリから遠ざかるように付勢されるように前記サムスイッチに加える力を取り除き、それにより前記ロック部材をロックして前記回転刃アセンブリが前記軸回りに回転することを防止し、
（ｅ）前記サムスイッチを前記ハウジングから遠ざけるように前記揺動ボタンから前記下向きの力を取り除き、それにより前記ロック部材をロックして前記回転刃アセンブリが前記軸回りに回転することを防止し、
（ｆ）前記制御装置を作動させて前記ヘアクリッパの前記モータを作動させる、
ことを含んでなる方法。
【請求項２４】
前記エネルギ源はバッテリである請求項２３の方法。
【請求項２５】
前記エネルギ源は電気コンセントである請求項２３の方法。
【請求項２６】
前記回転刃アセンブリは２つ以上の刃先を有する請求項２３の方法。
【請求項２７】
前記２つ以上の刃先は刃渡りの大きい刃先を含む請求項２６の方法。
【請求項２８】
前記２つ以上の刃先は刃渡りの小さい刃先を含む請求項２７の方法。
【請求項２９】
前記２つ以上の刃先は２つ以上の刃を含む請求項２８の方法。
【請求項３０】
前記２つ以上の刃は固定刃を含む請求項２９の方法。
【請求項３１】
前記２つ以上の刃は往復刃を含む請求項３０の方法。
【請求項３２】
前記往復刃と前記固定刃を互いに隣接配設しかつばねにより互いに付勢させた請求項３１の方法。
【発明の詳細な説明】
【技術分野】
【０００１】
本発明はヘアクリッパあるいはヘアトリマに関する。より詳しくは、本発明は回転クリッパ刃アセンブリを有するヘアクリッパに関する。本発明のクリッパ刃アセンブリはそのアセンブリにより形成される切断面にほぼ垂直な軸回りに回転する。
【背景技術】
【０００２】
固定刃及び往復刃を含むクリッパ刃アセンブリを有する電気ヘアクリッパは従来技術において公知である。該固定刃と、往復刃はそれぞれ、刃の前縁に沿って複数の歯を有する。クリッパ刃アセンブリは、固定刃の歯が往復刃の歯にほぼ平行になるようにクリッパハンドルに取り付けられている。このように、往復刃の固定刃に対する往復により歯の間に位置する髪を刈ることができる。
【０００３】
刃アセンブリの幅は、ヘアが効果的に刈り取られるところの人体領域を決定する。例えば、刃の幅（刃渡り）が大きい刃アセンブリは、顔、額、脚、背中といった広い領域からヘアを刈り取ることができる。しかしながら、刃渡りが大きい刃アセンブリは、鼻、耳、及びその他同様な領域に対しては煩わしくて使えない。これらの部分に対しては、刃渡りが小さい刃アセンブリがより使用しやすいことがわかる。
【０００４】
最近、ユーザは、多重装置、即ち、刃渡りが小さい刃アセンブリを持つ装置と刃渡りが大きい刃アセンブリを持つ第２装置、あるいは、刃アセンブリを交換できる単一装置のいずれか一方を必要としている。いずれの解決方法も消費者にとって望ましいものではない。多重装置は重複的でありかつ高価である。交換刃アセンブリを持つ単一装置は多くのパーツを持ち、これらのパーツは紛失しやすい。したがって、単一の単純な装置として刃渡りの大きい刃アセンブリと刃渡りの小さい刃アセンブリの両方を備えるものをユーザに提供するために刃アセンブリの調整を行うことができるヘアクリッパを提供することが望まれる。
【０００５】
米国特許第５,５７９,５８１号（記録によるとWahl Clipper Corporationに譲渡されている）は、多重刃先、即ち、刃の各端部に設けた刃先を有するクリッパ刃を開示している。しかしながら、各端部の刃先は、各刃を固定刃又は移動刃のいずれか一方として使用することができるようにほぼ同一に設けられている。したがって、刃渡りの大きい刃と小さい刃を同一の刃アセンブリに使用することを開示していない。
【０００６】
米国特許第５,６０６,７９９号（記録によると、これもまた、Wahl Clipper Corporationに譲渡されている）は、ハンドルと刃アセンブリの間に設けたボールソケット結合（ジョイント）を有するヘアクリッパに関する。このボールソケット構造は刃アセンブリをハンドルに関してピボット回転することを可能にする。しかしながら、刃アセンブリが形成する切断面にほぼ垂直な軸回りに刃アセンブリを回転させることは行われておらず、さらに、刃渡りの大きい刃と刃渡りの小さい刃を同じ刃アセンブリに使用することも行われていない。
【０００７】
米国特許第５,９７０,６１６号（これもまた、記録によると、Wahl Clipper Corporationに譲渡されている）は、ハンドルの軸にほぼ平行な軸回りに回転可能な刃ハウジングを含み、この刃ハウジングの角位置をハンドルに関して変位させることができるヘアトリマに関する。しかしながら、刃アセンブリが形成する切断面にほぼ垂直な軸回りに刃アセンブリを回転させることは行われておらず、さらに、刃渡りの大きい刃と刃渡りの小さい刃を同じ刃アセンブリに使用することも行われていない。
【０００８】
ドイツ国特許第ＤＥ１９８ ５９ ０１７ Ｃ１（記録によると、Braun GbmHに譲渡されている）は、刃渡りの大きい刃と刃渡りの小さい刃の両方を単一装置としてユーザに提供するヘアトリマに関する。特に、カッティングヘッドは刃アセンブリにほぼ平行なスイベル軸回りに旋回する。カッティングヘッドは２つの異なる刃先を含む。さらに、これらの刃先のうちの１つだけが一時に作動可能である。したがって、いくつかの異なる刃先のうちの１つをユーザに提供するために刃アセンブリが形成する切断面にほぼ垂直な軸回りに回転する刃アセンブリを備えるクリッパは提供されておらず、さらに、単一刃先を有する単純な回転クリッパも提供されていない。
【０００９】
したがって、ユーザに刃渡りの大きい刃アセンブリと小さい刃アセンブリの両方を与える単純なヘアクリッパを引き続き必要としている。さらに、刃アセンブリが形成する切断面にほぼ垂直な軸回りに刃アセンブリを回転させるそういったヘアクリッパを引き続き必要としている。
【発明の開示】
【００１０】
本発明の目的は、ユーザに刃渡りの大きい刃アセンブリと小さい刃アセンブリの両方を与えるクリッパを提供することである。
【００１１】
本発明の別の目的は、刃アセンブリが形成する切断面にほぼ垂直な軸回りに回転可能な回転刃アセンブリを有する単純なヘアクリッパを提供することである。
【００１２】
本発明の別の目的は、いくつかの異なる刃先のうちの１つをユーザに提供するために刃アセンブリが形成する切断面にほぼ垂直な軸回りに回転する刃アセンブリを備えるクリッパを提供することである。
【００１３】
本発明のさらに別の目的は、単一刃先を有する回転クリッパを提供することである。
【発明を実施するための最良の形態】
【００１４】
図、特に図１に言及すると、番号１０で表すクリッパが示されている。クリッパ１０は、刃アセンブリ２０と、ハウジング５０を含む。クリッパ１０は、１軸、即ち、指定した軸Ａ回りに刃アセンブリ２０を回転させるように設けられている。軸Ａは刃アセンブリ２０が形成する切断面にほぼ垂直である。刃アセンブリ２０はその切断面を形成する１つ以上の刃先２２を含む。このように、クリッパ１０は、ユーザに１つ以上の刃先２２を与えるように設けられている。
【００１５】
図１の実施の形態において、刃アセンブリ２０は刃渡りの大きい刃先２２-１と、刃渡りの小さい刃先２２-２を有する。クリッパ１０のこの構成により、ユーザは、刃渡りの大きい刃先２２-１の使用から刃渡りの小さい刃先２２-２の使用へと切り替えることができる。
【００１６】
この実施の形態は、１例として説明されることが理解されるべきである。したがって、本発明の範囲内で３つ以上の刃先２２を設けることとができることも理解されるべきである。そのうえ、同じ刃渡り、歯形等を持つ１つ以上の刃先２２を与えることもまた本発明の範囲内であると認められるべきである。
【００１７】
ハウジング５０は刃交換機構６０、ハウジング内に置かれたモータ５４、モータに通電駆動するためのエネルギ源５６、および制御装置５８を有する。
【００１８】
モータ５４はオフセットしたシャフト５５を介して刃アセンブリ２０に連動連結され、通電されるとオフセットシャフト５５を介して刃アセンブリを駆動する。モータ５４はまた、バッテリ、あるいは標準の住宅の電気コンセントに接続されるプラグなどのエネルギ源５６および制御装置５８に接続されている。ユーザは、制御装置５８により、選択的にモータ５４とエネルギ源５６を接続しあるいは接続を解除してモータに通電し、あるいは、通電を解除することができる。制御装置５８は例えば、スイッチとすることができる。
【００１９】
図２に示すように、刃アセンブリ２０は切断刃、即ち、往復刃３０と、往復刃に隣接して置かれた固定刃３２と、取付ブロック３４、１つ以上のねじ３５、第１ばね３６-１と、第２ばね３６-２を有する。往復刃３２は一連のばね孔１１，１２，１３，１４を有する。取付ブロック３４は、上面側９２、下面側９４、取付ポストくぼみ９６、第１ロック部材９８、および第２１ロック部材９９を有する。
【００２０】
固定刃３０と往復刃３２はねじ３５とばね３６-１，３６-２によって従来の方法で取付ブロック３４に取り付けられている。より明確に言えば、往復刃３０と固定刃３２はそれぞれ、幅広の（刃渡りの大きい）刃先２２-１と幅狭の（刃渡りの小さい）刃先２２-２を形成する互いに実質的に平行な一連の切断歯３１を有する。ばね３６-１，３６-２は往復刃３２を固定刃３０に付勢し、かつ、以下に説明するように往復刃３２を往復動させることを助ける。ばね３６-１は１セットの付勢アーム３７-１，３７-２と、中央部材３７-３を有する。同様に、ばね３６-２は、１セットの付勢アーム３８-１，３８-２と、中央部材３８-３を有する。
【００２１】
刃アセンブリ２０は、それを回転させる刃交換機構６０に連結されている。刃交換機構６０は、取付ポスト６２、スライダブロック６４、ブラケット６６、およびボタン６８を有する。
【００２２】
スライダブロック６４は、上面側７２、下面側７４、第１被動連結器７６、第２被動連結器７８、第１ロック部材開口８０、第２ロック部材開口８６、ばね孔８１、８２、８３、８４、および中央取付ポスト開口８５を有する。
【００２３】
スライダブロック６４のばね孔８１、８２、８３、８４は往復刃３２の１セットのばね孔１１，１２，１３，１４に対応している。
【００２４】
スライダブロック６４の下面側７４は、第１ロック部材９８が第１ロック部材開口８０内に位置し、第２ロック部材９９が第２ロック部材開口８６内に位置するように、取付ブロック３４の上面側９４に挿入される。この位置では、モータ５４のシャフト５５はスライダブロック６４の第２被動連結器７８に往復動駆動を与えるようにそれに接続されている。
【００２５】
第１ばね３６-１の中央部材３７-３は固定刃３０上に横たわる。アーム３７-１と３７-２はスライダブロック６４の上面側７２上に横たわる。そして、第１アーム３７-１はスライダブロック６４のばね孔８１と往復刃３０のばね孔１１を通るように挿入される、そして、第２アーム３７-２はスライダブロックのばね孔８２と往復刃のばね孔１２を通るように挿入される。第２ばね３６-２は同様に位置する。すなわち、第２ばね３６-２の中央部材３８-３は固定刃３０上に横たわる。アーム３８-１と３８-２はスライダブロック６４の上面７２上に横たわる。このようにして、第１アーム３８-１はスライダブロック６４のばね孔８４と往復刃３０のばね孔１４を通るように挿入され、第２アーム３７-２はスライダブロックのばね孔８３と往復刃のばね孔１３を通るように挿入される。この様に、スライダブロック６４の前後方向の往復動は、往復刃３０が固定刃３２に付勢されているのでばね３６- １，３６-２を介して往復刃３０に伝えられる。
【００２６】
スライダブロック６４と取付ブロック３４は互いに固定されないことに留意すべきである。ばね３６−１，３６-２は、単にスライダブロック６４の底面７４を取付ブロック３４の上面９４に押しつけているだけである。ばね３６-１，３６-２の押圧力に打ち勝つことによって、取付ブロック３４は、以下に詳細に説明するように第１ロック部材９８がもはや第１ロック部材孔８０内に位置せず、第２ロック部材９９も第２ロック部材孔８６内にもはや位置しないようになるように下向きに摺動可能である。モータ５４のシャフト５５がスライダブロック６４の第２被動連結器７８に固定されないことにもまた留意すべきである。シャフト５５と第２被動連結器７８は、モータ５４が往復運動をスライダブロック６４に伝えることを可能にするように接続されているだけである。以下に詳細に説明するように、スライダブロック６４に関して取付ブロック３４を下向きに摺動させることで、シャフト５５を第２被動連結器７８から取り外すことができる。
【００２７】
取付ポスト６２は付勢端１０１と制御端１０３を有する。付勢端１０１はスライダブロック６４の取付ポスト開口８５を介して取付ブロック３４の取付ポストくぼみ９６内へ挿入される。ポスト６２は刃アセンブリ２０からハウジング５０内へ上向きに延伸している。ブラケット６６は、ポスト６２がブラケットに形成された孔６７に摺動自在に受けられるように、ハウジング５０内の所定位置に固定される。ポスト６２は、制御エンド１０３がハウジング５０の外まで延伸するほど十分長い。
【００２８】
ボタン６８は、望ましくはカム１１５とボルト１１６を介して取付ポスト６２の制御端１０３に接続される。ボタン６８は、その両側面に配列された１組のロッカーアーム１１１を介してハウジング５０に揺動自在に取り付けられている。ボタン６８は、ハウジング５０の前部、すなわち、矢印Ｂで示す向きに刃アセンブリ２０に向かって揺動されると、取付ポスト６２に軸Ａと平行な方向の下向きの力Ｃを加える。ボタン６８は、取付ポスト６２に下向きの力Ｃを加えていないそれの通常位置へ付勢される。望ましくは、ボタン６８は、ブラケット６６とハウジング５０の間に配設されたばね１１２によってその通常位置へ付勢される。ばね１１２はボタン６８に力Ｃの反対方向のボタン復元力を与え、ハウジング５０の前部から遠ざかる（すなわち、刃アセンブリ２０から遠ざかる）ようにボタンを揺動させる。
【００２９】
ばね１１２の復元力とばね３６-１, ３６-２の押圧力に打ち勝つことができる十分な力Ｃは、ポストの付勢端１０１が取付ブロック３４を下向きに押すように、取付ポスト６２をブラケット６６とスライダブロック６４内で下向きに摺動させる。取付ブロック３４は下方へ摺動して第１ロック部材９８がもはや第１ロック部材開口８０内に位置せず、第２ロック部材９９がもはや第２ロック部材開口８６内に位置せず、シャフト５５がもはや第２被動連結器７８に連結されずそれを作動させない。この時点において、刃アセンブリ２０へ回転力Ｄを与えることで、刃アセンブリをハウジング５０に関して軸Ａ回りに回転させることができる。より明確にいえば、取付ブロック３４は、第１ロック部材９８が第２ロック部材開口８６に挿入され、第２ロック部材９９が第１ロック部材開口８０に挿入され、シャフト５５が第１被動連結器７６に連動連結されるようになるまで、スライダブロック６４に関して回転する。
【００３０】
ボタン６８から力Ｂを取り除くことで、ばね１１２の復元力によりボタンをハウジング５０の前部から離れるように揺動させ取付ポスト６２から下向き力Ｃを取り除いてばね３６-１，３６-２により取付ブロック３４をスライダブロック６４に向かって上方へ付勢させる。したがって、ポスト６２はブラケット６６とスライダブロック６４を通り上方へ摺動し、第１ロック部材９８が第２ロック部材開口８６内に位置し、第２ロック部材９９が第１ロック部材開口８０内に位置し、シャフト５５が第１被動連結器７６にそれを作動できるように接続される。
【００３１】
したがって、交換機構６０は、ユーザが、刃渡りの大きい刃先２２-１又は刃渡りの小さい刃先２２-２の一方を自分に与えることができるように、刃アセンブリ２０を回転させることを可能にする。
【００３２】
交換機構６０の１代替実施形態を図３，図４に示す。上で説明した実施の形態で出てきた要素と同様なものに対して同様な参照番号を使用している。
【００３３】
図３の実施の形態では、刃アセンブリ２０はまた、刃渡りの大きい刃先２２-１と刃渡りの小さい刃先２２-２を有する。したがって、ユーザがクリッパ１０をある用途のために刃渡りの大きい刃先２２-１を備えるものから他の用途のために刃渡りの小さい刃先２２-２を備えるものに変換することができるようにクリッパ１０は設けられている。
【００３４】
ハウジング５０はここでも刃交換機構６０、モータ５４、エネルギ源５６、および制御装置５８を有する。
【００３５】
モータ５４は、通電されると中央シャフト５５'を介して刃アセンブリ２０を駆動するようにシャフト５５'を介して刃アセンブリ２０に連動連結されている。モータ５４はまた、バッテリ、あるいは標準の住宅用コンセントに接続されるプラグなどのエネルギ源５６および制御装置５８に接続される。ここでも、ユーザは制御装置５８により、モータ５４をとエネルギ源５６に接続し、あるいは、非接続にしてモータに通電し、あるいは非通電することができる。
【００３６】
図４に示すように、刃アセンブリ２０は切断刃、即ち、往復刃３０と、固定刃３２と、取付ブロック３４'と、ねじ３５と、第１ばね３６-１と、第２ばね３６-２を有する。取付ブロック３４'は、上面側９２、底面側９４、取付ポストくぼみ９６と、ロック部材９８'を有する。ロック部材９８'は前部１９８と後部１９９を有する。
【００３７】
往復刃３０と固定刃３２は従来の方法でねじ３５とばね３６-１，３６-２によって取付ブロック３４'に取り付けられている。より明確に言えば、往復刃３０と固定刃３２はそれぞれ、刃渡りの大きい刃先２２-１と、刃渡りの小さい刃先２２-２を形成する互いにほぼ平行な一連の歯３１を有する。ばね３６-１，３６-２は往復刃３２を固定刃３０の方へ付勢し、以下に説明するように往復刃３２を往復させることを助ける。
【００３８】
刃アセンブリ２０は、刃アセンブリを回転させる刃交換機構６０に転動連結されている。刃交換機構６０は取付ポスト６２と、スライダブロック６４'と、ブラケット６６'と、サムスイッチ６８'を有する。
【００３９】
スライダブロック６４'は、上面側７２、下面側７４、第１被動連結器７６'、第２被動連結器７８'、開口８０'、およびばねサポート８１’，８２’，８３’，８４’を有する。開口８０'は、前部１８８と後部１８９を有する。
【００４０】
スライダブロック６４'のばねサポート８１’，８２’，８３’，８４’は往復刃３２の１セットのばね孔１１，１２，１３，１４に対応している。ばね３６-１は１セットの付勢アーム３７-１，３７-２と、中央部材３７-３を有する。同様に、ばね３６-２は１セットの付勢アーム３８-１，３８-２と、中央部材３８-３を有する。
【００４１】
スライダブロック６４'の底面側７４は、ロック部材９８が開口８０'内に位置するように取付ブロック３４'の上面側９４に挿入される。さらに詳しく述べると、ロック部材９８'の前部１９８は開口８０'の前部１８８に隣接し、ロック部材の後部１９９は開口の後部１８９隣接している。この位置では、モータ５４のシャフト５５'はスライダブロック６４'の被動連結器７８'に連動連結され、スライダブロックに往復運動を伝える。
【００４２】
第１ばね３６-１の中央部材３７-３は固定刃３０上に横たわる。アーム３７-１，３７-２はスライダブロック６４'の上面側７２上に横たわる。したがって、第１アーム３７-１はスライダブロック６４'のばねサポート８１'と、往復刃３０のばね孔１１に接続され、第２アーム３７-２はスライダブロックのばねサポート８２'と、往復刃のばね孔１２に接続されている。第２ばね３６-２は同様に位置する。すなわち、第２ばね３６-２の中央部材３８-３は固定刃３０上に横たわる。
アーム３８-１，３８-２はスライダブロック６４'の上部側７２上に横たわる。このようにして、第１アーム３８-１はスライダブロック６４'のばねサポート８４'と、往復刃３０のばね孔１４に接続され、第２アーム３７-２はスライダブロックのサポート８３'と往復刃のばね孔１３に接続されている。この様に、スライダブロック６４'の前後方向の往復運動は、往復刃が固定刃３２の方に付勢されているのでばね３６-１，３６-２を介して往復刃３０に伝えられる。
【００４３】
スライダブロック６４'と取付ブロック３４'は互いに堅固に固定されてはいないことに留意すべきである。ばね３６-１，３６-２は、スライダブロック６４'の底面７４を単に取付ブロック３４'の上面９４'に押しつけているだけである。ばね３６-１，３６-２の押圧力に打ち勝つことによって、取付ブロック３４'は下方へ摺動し、ロック部材９８'はもはや開口８０'の中に位置しなくなる。モータ５４のシャフト５５'もまたスライダブロック６４'の第２被動連結器７８'に堅固に固定されていないことに留意すべきである。シャフト５５'と、第２被動連結器７８'は、モータ５４が往復運動をスライダブロック６４に伝えることを可能にするために接続されているだけである。スライダブロック６４'に関して取付ブロック３４'を下方に摺動させることで、シャフト５５’を第２被動連結器７８から取り外すことができる。
【００４４】
取付ポスト６２は付勢端１０１と制御端１０３を有する。付勢端１０１はスライダブロック６４'の開口８０'に通されて取付ブロック３４'のくぼみ９６に挿入される。ポスト６２は刃アセンブリ２０から上向きにハウジング５０内に延伸している。ブラケット６６'はそれに形成された孔６７にポスト６２が摺動自在に受けられるようにハウジング５０内に所定位置で固定される。ポスト６２は、制御端１０３がハウジング５０の外まで延伸するほど十分な長い。
【００４５】
サムスイッチ６８'は、望ましくはカム１１５'とロッド１１６'を介して取付ポスト６２の制御端１０３に接続されている。サムスイッチ６８'は押し下げ可能かつ回転可能にハウジング５０に取り付けられている。矢印Ｂの方向の下向きにサムスイッチ６８'を押し下げることで、サムスイッチは取付ポスト６２に軸Ａに平行な矢印Ｂの向きの下向きの力を与えることができる。サムスイッチ６８'は、それが取付ポスト６２に力Ｂを加えていないその通常位置へ付勢されている。望ましくは、サムスイッチ６８'はブラケット６６'とハウジング５０の間に配設されたばねによりその通常位置に付勢される。ばね１１２は、力Ｂと反対方向の力であるサムスイッチ６８'をハウジング５０から遠ざける復元力をサムスイッチ６８'に与える。
【００４６】
ばね１１２の復元力とばね３６-１，３６-２の押圧力に打ち勝つことができるほどの十分な押し下げ力を矢印Ｂの方向に与えてポスト６２をブラケット６６'とスライダブロック６４'内で下向きに摺動させ、ポストの付勢端１０１に取付ブロック３４'を押し下げさせる。取付ブロック３４'が下方に摺動し、もはやロック部材９８が開口８０'内になく、シャフト５５'ももはや第２被動連結器７８'に作動可能に（連動）連結されていない。この時点において、サムスイッチ６８'に回転力Ｃを与えることでハウジング５０に関して刃アセンブリ２０を軸Ａ回りに回転させることができる。より明確に言えば、取付ブロック３４'は、シャフト５５'が第１被動連結器７６'に連動連結され、ロック部材９８'が開口８０'に再挿入されてロック部材の前部１９８が開口の後部１８９に隣接し、ロック部材の後部１９９が開口の前部１８８に隣接するようになるまでスライダブロック６４'に関して回転する。
【００４７】
サムスイッチ６８'から力Ｂを取り除くと、ばね１１２がサムスイッチに復元力を与えてサムスイッチをハウジング５０の前部から遠ざけ、かつ、ばね３６-１，３６-２が取付ブロック３４'をスライダブロック６４'に付勢する。したがって、ポスト６２は、シャフト５５'が第１被動連結器７６に連動連結され、ロック部材９８'が開口８０に再挿入されてロック部材の前部１９８が開口の後部１８９に隣接し、ロック部材の後部１９９が開口の前部１８８に隣接するようになるまで、ブラケット６６'とスライダブロック６４'を通って上方に摺動する。
【００４８】
したがって、交換機構６０は、ユーザが、自分に刃渡りの大きい刃先２２-１又は小さい刃先２２-２のいずれか一方を与えるように刃アセンブリ２０を回転させることを可能にする。
【００４９】
クリッパ１０の代替実施形態（図示省略）では、クリッパは、刈り取る髪の長さを調整するために複数のトリミングくしを受けるように設けられる。例えば、刃アセンブリ２０は、取り外し可能にトリミングくしを受けるように設けられる。他の例は、トリミングくしをハウジング５０及び/又は刃アセンブリ２０とハウジングの組み合わせに取り付けることを含む。すなわち、シングルサイドのトリミングくし、即ち、クリッパ１０の両方の刃先２２の一方のみを使用するものも本発明の範囲内であると考えられる。代替的に、ダブルサイドのトリミングくし、即ち、クリッパ１０の両方の刃先２２を使用するものも本発明の範囲内である。
【００５０】
以上の説明は本発明の単なる例示であると理解すべきである。発明から逸脱することなく当業者は様々な代替及び変更について工夫することができる。従って、本発明はそのようなすべての代替、変更、および変形例を含むことを意図する。
【図面の簡単な説明】
【００５１】
【図１】本発明のクリッパの第１の実施の形態の斜視図である。
【図２】図１の展開図である。
【図３】本発明のクリッパの第２の実施の形態の斜視図である。
【図４】図３の展開図である。
【国際公開パンフレット】
2004531294.tif 000003
2004531294.tif 000004
2004531294.tif 000005
2004531294.tif 000006
2004531294.tif 000007
2004531294.tif 000008
2004531294.tif 000009
2004531294.tif 000010
2004531294.tif 000011
2004531294.tif 000012
2004531294.tif 000013
2004531294.tif 000014
2004531294.tif 000015
2004531294.tif 000016
2004531294.tif 000017
2004531294.tif 000018
2004531294.tif 000019
2004531294.tif 000020
2004531294.tif 000021
2004531294.tif 000022
2004531294.tif 000023
2004531294.tif 000024
2004531294.tif 000025
2004531294.tif 000026
2004531294.tif 000027
【国際調査報告】
2004531294.tif 000028